(57)【要約】      （修正有）【課題】目覚めをよくすることができる報知装置及び制御方法を提供する。【解決手段】報知装置は、起床タイミングを報知する報知部と、生体情報を検出する生体情報検出部と、検出された生体情報に基づいて、対象者の睡眠深度を取得する深度取得部８７と、予め設定された最終起床時刻と、最終起床時刻から所定時間前の報知開始時刻との間の期間である報知期間に現在時刻が入ってから、深度取得部８７によって取得される睡眠深度に睡眠深度が浅くなる変化が生じたか否かを判定する変化判定部８８と、変化判定部８８により、変化が生じたと判定されると、報知部に報知させる報知制御部８９と、を有する。【選択図】図４
2015161542.tif 000002
【特許請求の範囲】
【請求項１】
起床タイミングを報知する報知部と、
生体情報を検出する生体情報検出部と、
検出された前記生体情報に基づいて、対象者の睡眠深度を取得する深度取得部と、
予め設定された最終起床時刻と、当該最終起床時刻から所定時間前の報知開始時刻との間の期間である報知期間に現在時刻が入ってから、前記深度取得部によって取得される前記睡眠深度に当該睡眠深度が浅くなる変化が生じたか否かを判定する変化判定部と、
前記変化判定部により、前記変化が生じたと判定されると、前記報知部に報知させる報知制御部と、を有することを特徴とする報知装置。
【請求項２】
請求項１に記載の報知装置において、
前記報知制御部は、前記睡眠深度が所定深度より浅い場合に、前記変化判定部によって前記変化は生じていないと判定されている間は前記報知部に報知させず、現在時刻が前記最終起床時刻に達すると、前記報知部に報知させることを特徴とする報知装置。
【請求項３】
起床タイミングを報知する報知部と、
生体情報を検出する生体情報検出部と、
検出された前記生体情報に基づいて、対象者の睡眠深度を取得する深度取得部と、
予め設定された最終起床時刻と、当該最終起床時刻から所定時間前の報知開始時刻との間の期間である報知期間に現在時刻が入ってから、前記深度取得部によって取得される前記睡眠深度に当該睡眠深度が浅くなる変化が生じたか否かを判定する変化判定部と、
前記睡眠深度が所定深度より浅い場合に、前記変化判定部によって前記変化は生じていないと判定されている間は前記報知部に報知させず、現在時刻が前記最終起床時刻に達すると、前記報知部に報知させる報知制御部と、を有することを特徴とする報知装置。
【請求項４】
請求項１から請求項３のいずれかに記載の報知装置において、
検出された前記生体情報に基づいて、前記対象者が覚醒したか否かを判定する覚醒判定部と、
前記覚醒判定部により前記対象者が覚醒したと判定されると、前記報知部による報知を規制する覚醒後規制部と、を有することを特徴とする報知装置。
【請求項５】
請求項１から請求項４のいずれかに記載の報知装置において、
前記報知制御部は、前記睡眠深度に応じて、前記報知部による報知の仕方を変更することを特徴とする報知装置。
【請求項６】
請求項１から請求項５のいずれかに記載の報知装置において、
前記報知制御部は、前記変化判定部によって前記変化が生じたと判定された場合と、現在時刻が前記最終起床時刻に達したと判定された場合とで、前記報知部による報知の仕方を変更することを特徴とする報知装置。
【請求項７】
請求項１から請求項６のいずれかに記載の報知装置において、
駆動電力を供給する電池と、
前記電池の電池残量が所定量未満であるか否かを判定する残量判定部と、
前記残量判定部により、前記電池残量が前記所定量未満であると判定されると、前記変化判定部による判定処理を規制する判定規制部と、を有し、
前記報知制御部は、現在時刻が前記最終起床時刻に達すると、前記報知部に報知させることを特徴とする報知装置。
【請求項８】
請求項１から請求項７のいずれかに記載の報知装置において、
前記生体情報として検出される前記対象者の脈拍数を取得する脈拍数取得部と、
取得される前記対象者の脈拍数のうち、最も低い脈拍数である基底脈拍を取得する基底脈拍取得部と、
取得された前記基底脈拍で、予め保持された前記基底脈拍を更新する更新部と、を有し、
前記深度取得部は、前記脈拍数取得部により取得される前記対象者の脈拍数と前記基底脈拍とに基づいて、前記睡眠深度を取得することを特徴とする報知装置。
【請求項９】
起床タイミングを報知する報知装置の制御方法であって、
生体情報を検出する検出ステップと、
検出された前記生体情報に基づいて、対象者の睡眠深度を取得する深度取得ステップと、
予め設定された最終起床時刻と、当該最終起床時刻から所定時間前の報知開始時刻との間の期間である報知期間に現在時刻が入ってから、取得される前記睡眠深度に当該睡眠深度が浅くなる変化が生じたか否かを判定する変化判定ステップと、
前記変化が生じたと判定されると、前記起床タイミングを報知する報知ステップと、を含むことを特徴とする制御方法。
【請求項１０】
起床タイミングを報知する報知装置の制御方法であって、
生体情報を検出する検出ステップと、
検出された前記生体情報に基づいて、対象者の睡眠深度を取得する深度取得ステップと、
予め設定された最終起床時刻と、当該最終起床時刻から所定時間前の報知開始時刻との間の期間である報知期間に現在時刻が入ってから、取得される前記睡眠深度に当該睡眠深度が浅くなる変化が生じたか否かを判定する変化判定ステップと、
前記睡眠深度が所定深度より浅い場合に、前記変化は生じていないと判定されている間は前記起床タイミングを報知せず、現在時刻が前記最終起床時刻に達すると、前記起床タイミングを報知する報知ステップと、を含むことを特徴とする制御方法。
【発明の詳細な説明】
【技術分野】
【０００１】
本発明は、起床タイミングを報知する報知装置及び当該報知装置の制御方法に関する。
【背景技術】
【０００２】
従来、人間の通常の睡眠には、レム睡眠（ＲＥＭ；Rapid Eye Movement）と、ノンレム睡眠とが交互に現れる周期があり、当該周期は、およそ９０分から１２０分の間と言われている。また、人間が起床する場合、睡眠深度が深いノンレム睡眠時に起床するよりも、睡眠深度が浅いレム睡眠時に起床すると、目覚めがよく、睡眠の満足感が高いと言われている。
【０００３】
そこで、人体の体動に基づくレム睡眠の検出を複数回実施することによって算出されるレム睡眠周期に基づいて、使用者により設定された起床時刻に最も近いレム睡眠を検出したときに、目覚しアラームを報知する目覚し時計が提案されている（例えば、特許文献１参照）。この特許文献１に記載の目覚し時計では、レム睡眠を検出した時刻と、起床時刻との差が上記周期より短い場合に、当該レム睡眠を起床時刻に最も近いレム睡眠とし、これにより目覚しアラームが報知されることで、使用者の目覚めをよくしている。
【先行技術文献】
【特許文献】
【０００４】
【特許文献１】特開２００９−０４１９３９号公報
【発明の概要】
【発明が解決しようとする課題】
【０００５】
ところで、睡眠深度は、年齢、体調及び環境によって変化する他、飲酒等の影響を受けて変化する。例えば、体調が悪い場合や、就寝前に飲酒した場合には、通常時とは異なり、睡眠深度が浅い眠りとなる場合がある。
このように、通常時とは異なる周期の睡眠となった場合、上記特許文献１に記載の目覚し時計では、周期を適切に把握できず、適切なタイミングで目覚しアラームを報知できない可能性がある。
【０００６】
本発明は、目覚めをよくすることができる報知装置及び報知装置の制御方法を提供することを目的の１つとする。
【課題を解決するための手段】
【０００７】
本発明の第１態様に係る報知装置は、起床タイミングを報知する報知部と、生体情報を検出する生体情報検出部と、検出された前記生体情報に基づいて、対象者の睡眠深度を取得する深度取得部と、予め設定された最終起床時刻と、当該最終起床時刻から所定時間前の報知開始時刻との間の期間である報知期間に現在時刻が入ってから、前記深度取得部によって取得される前記睡眠深度に当該睡眠深度が浅くなる変化が生じたか否かを判定する変化判定部と、前記変化判定部により、前記変化が生じたと判定されると、前記報知部に報知させる報知制御部と、を有することを特徴とする。
【０００８】
なお、報知部による報知は、音声の出力、対象者への光の照射、及び、対象者への振動の付与を例示できる。
上記第１態様によれば、報知開始時刻から最終起床時刻までの報知期間に現在時刻が入った場合に、睡眠深度が浅くなる変化が生じると、報知部により起床タイミングが報知される。これによれば、通常時とは異なる周期の睡眠であっても、現在時刻が上記報知期間に入った後、睡眠深度が浅くなる変化が生じて目覚めやすい状態の対象者に、起床タイミングを報知できる。従って、対象者の目覚めをよくすることができる。
【０００９】
上記第１態様では、前記報知制御部は、前記睡眠深度が所定深度より浅い場合に、前記変化判定部によって前記変化は生じていないと判定されている間は前記報知部に報知させず、現在時刻が前記最終起床時刻に達すると、前記報知部に報知させることが好ましい。
【００１０】
ここで、現代人は、睡眠時間が短い傾向にあり、できるだけ睡眠時間を長くしたいという要望がある。一方で、上記のように、体調が悪い場合や、飲酒した場合には、体力回復のために、睡眠時間は長い方が好ましい。
しかしながら、上記特許文献１に記載の目覚し時計では、睡眠時間を長くした方が対象者にとって好ましい状態でも、レム睡眠となったタイミングで目覚しアラームが報知されてしまう。例えば、上記のように、レム睡眠の周期は、およそ９０分から１２０分の間であることから、最終起床時刻より９０分程度早く目覚しアラームが報知されてしまう可能性がある。
【００１１】
これに対し、上記第１態様によれば、報知期間に入った際の睡眠深度が所定深度より浅く、かつ、睡眠深度が浅くなる変化が生じていない場合には、最終起床時刻に報知部による報知が実施される。このため、体調等により浅い眠りが継続する対象者の睡眠時間をできるだけ長くすることができる。従って、対象者の目覚めをよくすることができるとともに、睡眠時間を確保できる。
【００１２】
本発明の第２態様に係る報知装置は、起床タイミングを報知する報知部と、生体情報を検出する生体情報検出部と、検出された前記生体情報に基づいて、対象者の睡眠深度を取得する深度取得部と、予め設定された最終起床時刻と、当該最終起床時刻から所定時間前の報知開始時刻との間の期間である報知期間に現在時刻が入ってから、前記深度取得部によって取得される前記睡眠深度に当該睡眠深度が浅くなる変化が生じたか否かを判定する変化判定部と、前記睡眠深度が所定深度より浅い場合に、前記変化判定部によって前記変化は生じていないと判定されている間は前記報知部に報知させず、現在時刻が前記最終起床時刻に達すると、前記報知部に報知させる報知制御部と、を有することを特徴とする。
【００１３】
上記のように、現代人は、睡眠時間が不足がちである一方で、体調が悪い場合や飲酒した場合には、体力を回復させる必要があることから、睡眠時間は長い方が好ましい。
しかしながら、上記特許文献１に記載の目覚し時計では、睡眠時間を長くした方が対象者にとって目覚め及び体調の面で好ましい場合でも、レム睡眠となったタイミングで目覚しアラームが報知されてしまう。このため、睡眠時間を長くすることができないだけでなく、目覚めもよくない可能性がある。
【００１４】
これに対し、上記第２態様によれば、上記報知期間に入った際の睡眠深度が所定深度より浅く、かつ、上記変化が生じていないと判定されている間は報知部による報知が実施されず、最終起床時刻となった場合に、報知部による報知が実施される。これによれば、上記第１態様に係る報知装置と同様に、体調等により浅い眠りが継続する対象者の睡眠時間をできるだけ長くすることができる。従って、対象者の目覚めをよくすることができるとともに、睡眠時間を確保できる。
【００１５】
上記第１及び第２態様では、検出された前記生体情報に基づいて、前記対象者が覚醒したか否かを判定する覚醒判定部と、前記覚醒判定部により前記対象者が覚醒したと判定されると、前記報知部による報知を規制する覚醒後規制部と、を有することが好ましい。
【００１６】
なお、ここでいう覚醒とは、睡眠状態から対象者が目を覚ますことをいう。
上記第１及び第２態様によれば、対象者が覚醒したと判定された場合には、覚醒後規制部により、報知部による報知が規制される。これによれば、対象者の覚醒後も報知部による報知が継続されることを抑制できる。従って、報知装置の利便性を向上できる他、当該報知装置の消費電力を低減できる。特に、報知装置が、人体に装着されるウェアラブル機器である場合には、電池からの供給電力により駆動される構成であることが多いが、上記構成を採用することで、報知装置の駆動時間を長くすることができる。
【００１７】
上記第１及び第２態様では、前記報知制御部は、前記睡眠深度に応じて、前記報知部による報知の仕方を変更することが好ましい。例えば、前記報知制御部は、前記報知部により報知する際の前記睡眠深度が深くなるに従って、前記報知部による報知の強度を高くすることが好ましい。
【００１８】
なお、報知の仕方を変更するとは、例えば、当該報知が音声の出力である場合には、睡眠深度に応じて音量を大きくしたり小さくしたりすることが挙げられる。また、当該報知が光の照射である場合には、睡眠深度に応じて照度を高めたり弱めたりすることや、照明装置の点滅周期を短くしたり長くしたりすることが挙げられる。更に、当該報知が振動の付与である場合には、睡眠深度に応じて当該振動を強めたり弱めたりすることや、振動周期を短くしたり長くしたりすることが挙げられる。
ここで、睡眠深度が深い場合には、報知部による報知が実施された場合でも目覚めにくいことが考えられる。これに対し、上記第１及び第２態様によれば、睡眠深度に応じて、報知部による報知の仕方が変更されるので、例えば、睡眠深度が深い場合には、当該報知の強度を高くすることで、対象者を目覚めやすくすることができる。従って、対象者を確実に目覚めさせることができる。
【００１９】
上記第１及び第２態様では、前記報知制御部は、前記変化判定部によって前記変化が生じたと判定された場合と、現在時刻が前記最終起床時刻に達したと判定された場合とで、前記報知部による報知の仕方を変更することが好ましい。例えば、前記報知制御部は、前記変化判定部によって前記変化が生じたと判定された場合の前記報知部による報知の強度より、現在時刻が前記最終起床時刻に達したと判定された場合の前記報知部による報知の強度を高くすることが好ましい。
【００２０】
なお、報知の仕方を変更するとは、上記のように例示される。
ここで、上記変化が生じたと判定されたタイミングの睡眠深度は、比較的浅いと考えられる他、報知部による報知タイミングは、当該タイミング以外にも最終起床時刻がある。一方、最終起床時刻に達したと判定されたタイミングの睡眠深度は比較的深い場合がある他、報知タイミングは、当該タイミングだけとなる。このように、上記変化が生じたと判定されたタイミングと、最終起床時刻に達したと判定されたタイミングとでは、報知部による報知の確実性が変化する。
これに対し、上記第１及び第２態様によれば、それぞれのタイミングで報知部による報知の仕方が変更される。これによれば、例えば、上記変化が生じたと判定されたタイミングでは、報知の強度を低くすることで、自然な目覚めを促して目覚めをよくすることができ、最終起床時刻に達した場合には、当該強度を高くすることで、対象者を確実に目覚めさせることができる。従って、報知装置の利便性を向上できる。
【００２１】
上記第１及び第２態様では、駆動電力を供給する電池と、前記電池の電池残量が所定量未満であるか否かを判定する残量判定部と、前記残量判定部により、前記電池残量が前記所定量未満であると判定されると、前記変化判定部による判定処理を規制する判定規制部と、を有し、前記報知制御部は、現在時刻が前記最終起床時刻に達すると、前記報知部に報知させることが好ましい。
【００２２】
ここで、電池残量が比較的少ない状態で上記変化判定部による判定処理が継続されると、上記報知が実施される前に電池残量が尽き、当該報知が実施されない可能性がある。
これに対し、上記第１及び第２態様によれば、電池残量が所定量未満であると判定されると、上記変化判定部による判定処理が規制されて、電池残量が温存される。そして、最終起床時刻に達すると上記報知がされるので、最終起床時刻に対象者を確実に目覚めさせることができる。従って、報知装置の利便性を更に向上できる。
【００２３】
上記第１及び第２態様では、前記生体情報として検出される前記対象者の脈拍数を取得する脈拍数取得部と、取得される前記対象者の脈拍数のうち、最も低い脈拍数である基底脈拍を取得する基底脈拍取得部と、取得された前記基底脈拍で、予め保持された前記基底脈拍を更新する更新部と、を有し、前記深度取得部は、前記脈拍数取得部により取得される前記対象者の脈拍数と前記基底脈拍とに基づいて、前記睡眠深度を取得することが好ましい。
【００２４】
なお、脈拍と心拍とは厳密には異なるものを指すが、健常者においてはほぼ同じと捉えることができるため、脈拍数を心拍数と読み替えてもよい。同様に、基底脈拍を基底心拍と読み替えてもよい。本明細書では、対象者が取り得る最も低い脈拍数及び心拍数を意味する語として、基底脈拍及び基底心拍との語を用いる。
ここで、基底脈拍は対象者によって異なるため、基底脈拍が使用者に対して適切な値でないと、取得される脈拍数と基底脈拍とに基づいて取得される睡眠深度を適切に取得できない可能性がある。
これに対し、上記第１及び第２態様によれば、更新部により、対象者の最も低い脈拍数に基底脈拍が更新されるので、当該基底脈拍を対象者に合わせることができ、これにより、適切な睡眠深度を取得できる。従って、対象者の睡眠深度の判定を適切に実施できる。
【００２５】
本発明の第３態様に係る制御方法は、起床タイミングを報知する報知装置の制御方法であって、生体情報を検出する検出ステップと、検出された前記生体情報に基づいて、対象者の睡眠深度を取得する深度取得ステップと、予め設定された最終起床時刻と、当該最終起床時刻から所定時間前の報知開始時刻との間の期間である報知期間に現在時刻が入ってから、取得される前記睡眠深度に当該睡眠深度が浅くなる変化が生じたか否かを判定する変化判定ステップと、前記変化が生じたと判定されると、前記起床タイミングを報知する報知ステップと、を含むことを特徴とする。
上記第３態様によれば、当該制御方法を報知装置に適用することで、上記第１態様に係る報知装置と同様の効果を奏することができる。
【００２６】
本発明の第４態様に係る制御方法は、起床タイミングを報知する報知装置の制御方法であって、生体情報を検出する検出ステップと、検出された前記生体情報に基づいて、対象者の睡眠深度を取得する深度取得ステップと、予め設定された最終起床時刻と、当該最終起床時刻から所定時間前の報知開始時刻との間の期間である報知期間に現在時刻が入ってから、取得される前記睡眠深度に当該睡眠深度が浅くなる変化が生じたか否かを判定する変化判定ステップと、前記睡眠深度が所定深度より浅い場合に、前記変化は生じていないと判定されている間は前記起床タイミングを報知せず、現在時刻が前記最終起床時刻に達すると、前記起床タイミングを報知する報知ステップと、を含むことを特徴とする。
上記第４態様によれば、当該制御方法を報知装置に適用することで、上記第２態様に係る報知装置と同様の効果を奏することができる。
【図面の簡単な説明】
【００２７】
【図１】本発明の一実施形態に係る生体情報測定装置を示す正面図。
【図２】上記実施形態における生体情報測定装置を背面側から見た斜視図。
【図３】上記実施形態における生体情報測定装置の構成を示すブロック図。
【図４】上記実施形態における制御部が有する機能部を示すブロック図。
【図５】上記実施形態における睡眠時の脈拍数変化の一例を示す図。
【図６】上記実施形態における起床タイミング報知処理を示すフローチャート。
【発明を実施するための形態】
【００２８】
［生体情報測定装置の外観構成］
以下、本発明の一実施形態について、図面に基づいて説明する。
図１は、本実施形態に係る生体情報測定装置１を示す正面図である。また、図２は、当該生体情報測定装置１を背面側から見た斜視図である。
本実施形態に係る生体情報測定装置（以下、測定装置と略す場合がある）１は、使用者（目覚しの対象者）の生体情報及び動作情報を測定しつつ、当該使用者に起床タイミングを報知するものである。すなわち、測定装置１は、本発明の報知装置に相当する。
このような測定装置１は、図１及び図２に示すように、装置本体２と、装置本体２に接続されるバンドＢＮとを備えている。そして、当該測定装置１は、装置本体２の背面部２３を使用者の手首等に密着させた状態でバンドＢＮを締めることで使用者に装着される。
【００２９】
装置本体２の正面部２１には、図１に示すように、後述する報知部３を構成する表示部３１が設けられ、右側の側面部２２には、操作部４を構成する一対のボタン４１が設けられている。
また、背面部２３には、図２に示すように、後述する検出部５を構成する生体情報検出部５１が露出され、左側の側面部２４には、測定装置１を外部機器に接続するための端子ＴＮが設けられている。
【００３０】
［生体情報測定装置の内部構成］
図３は、測定装置１の構成を示すブロック図である。
測定装置１は、図３に示すように、装置本体２内にそれぞれ収納される報知部３、操作部４、検出部５、通信部６、記憶部７、制御部８及び電池ＢＴを有し、これらはバスラインＢＬにより互いに接続されている。
これらのうち、電池ＢＴは、蓄積された電力を供給して測定装置１を動作させる。この電池ＢＴは、本実施形態では、上記端子ＴＮを介して供給される電力により充電可能な二次電池により構成されているが、一次電池であってもよい。
【００３１】
［報知部の構成］
報知部３は、制御部８による制御の下、使用者に各種情報を報知する。本実施形態では、報知部３は、表示部３１、振動部３２及び音声出力部３３を有する。
表示部３１は、入力される画像情報に応じた各種画像を表示する。例えば、表示部３１は、制御部８により計時される現在時刻や、後述する最終起床時刻等を設定する設定画面を表示する。この他、表示部３１は、検出部５により検出される生体情報及び動作情報を表示する。このような表示部３１は、有機ＥＬ（Electro-Luminescence）、液晶及び電気泳動等の各種表示パネルを例示できる。
【００３２】
振動部３２は、モーターを有し、当該モーターの駆動によって生じる振動により、測定装置１の状態を報知する。例えば、振動部３２は、後述する起床タイミング報知処理の実行時に駆動して、起床タイミングを使用者に報知する。この際、振動部３２は、入力される制御信号に基づいて、振動の強度及び周期を変更することで、後述する最終起床時刻であるのか否かを使用者に報知する。
音声出力部３３は、入力される音声信号に応じた音声を出力する。この音声出力部３３も振動部３２と同様に、起床タイミングを使用者に報知する際に、音声の強度（音量）及び出力音声を変更して、後述する最終起床時刻であるのか否かを使用者に報知する。
【００３３】
［操作部の構成］
操作部４は、上記一対のボタン４１を有し、当該操作部４は、ボタン４１に対する入力操作に応じた操作信号を制御部８に出力する。このような入力操作としては、最終起床時刻を設定する入力操作や、当該最終起床時刻を終端とする報知期間を設定する入力操作が挙げられる。なお、当該報知期間は、使用者により起点の時刻である報知開始時刻が入力されることで制御部８が設定してもよく、或いは、報知期間の時間が入力されることで制御部８が報知開始時刻を計算して設定してもよい。
この他、本実施形態に係る測定装置１は、当該測定装置１を手で叩く等のタップ操作により操作可能である。このようなタップ操作は、検出部５を構成する動作情報検出部５２により検出される。
【００３４】
［検出部の構成］
検出部５は、生体情報検出部５１及び動作情報検出部５２を有する。
生体情報検出部５１は、上記背面部２３に露出して、測定装置１を装着した使用者の生体情報を検出する。本実施形態では、生体情報検出部５１は、生体情報としての脈波を検出する脈波検出手段を有し、当該脈波を分析することで、同じく生体情報としての脈拍数（単位時間当たりの脈拍数）を測定する。
この生体情報検出部５１は、本実施形態では、脈波検出手段として、ＬＥＤ等の発光素子と、フォトダイオード等の受光素子とを有する光電センサーを備える。しかしながら、生体情報検出部５１は、他の構成を備えていてもよい。例えば、生体情報検出部５１は、超音波により血管の収縮を検出して脈拍数を計測する超音波センサーを備える構成であってもよく、電極から微弱電流を体内に流して脈拍を検出するセンサーや圧電素子等を備える構成であってもよい。
なお、上記のように、脈拍と心拍とは厳密には異なるものを指すが、健常者においてはほぼ同じと捉えることができるため、脈拍数を心拍数と読み替えてもよい。同様に、後述する基底脈拍も基底心拍と読み替えてもよい。本明細書では、対象者（使用者）が取り得る最も低い脈拍数及び心拍数を意味する語として、基底脈拍及び基底心拍との語を用いている。
【００３５】
動作情報検出部５２は、使用者の動作によって測定装置１に作用する動作情報としての加速度値を検出する加速度センサーを有し、検出された加速度値を制御部８に出力する。このような加速度センサーは、Ｘ軸、Ｙ軸及びＺ軸の各軸での加速度値を所定のサンプリング周波数で検出する３軸センサーを例示できる。
このような動作情報検出部５２により検出された加速度値を、後述する制御部８が分析することで、使用者の体動を判定できる他、測定装置１に対してタップ操作が行われたか否かを判定できる。
なお、動作情報検出部５２は、当該動作情報検出部５２自身によりタップ操作が実施されたか否かを判定し、当該タップ操作が行われたと判定すると、割込信号を制御部８に出力するタップ操作検出機能を有する構成としてもよい。また、動作情報検出部５２で検出された加速度値は、体動に起因し脈波信号（生体情報検出部５１により検出される脈波信号）に重畳されたノイズを低減する処理に用いることもできる。
【００３６】
［通信部の構成］
通信部６、後述する制御部８による制御の下、外部機器と通信するモジュールである。本実施形態では、通信部６は、上記端子ＴＮを介して外部機器と有線で通信するモジュールと、無線で通信するモジュール（例えば、ＩＥＥＥ８０２．１５規格等の近距離無線通信規格に準拠したモジュール）とを有する。しかしながら、これに限らず、通信部６は、有線及び無線のいずれかで通信可能なモジュールであってもよい。
【００３７】
［記憶部の構成］
記憶部７は、測定装置１の動作に必要なプログラム及びデータを記憶している。このようなプログラムとして、後述する起床タイミング報知処理を制御部８に実行させるプログラムを例示できる。また、記憶部７は、上記検出部５による検出結果を記憶する。このような記憶部７は、フラッシュメモリー等の不揮発性の半導体メモリーを有する。
【００３８】
［制御部の構成］
制御部８は、制御回路を有し、測定装置１の動作を制御する。例えば、制御部８は、上記検出部５により、上記生体情報（脈波及び脈拍数）、並びに、動作情報（加速度値）を検出させ、これらを記憶部７に記憶させる。また、制御部８は、当該記憶部７に記憶された生体情報及び動作情報を、通信部６を介して外部機器に送信する他、当該外部機器から情報を取得する。
【００３９】
図４は、制御部８が有する機能部を示すブロック図である。
更に、制御部８は、上記生体情報及び動作情報に基づいて取得される使用者の睡眠深度や、使用者が予め設定した最終起床時刻等に基づいて、当該使用者に起床タイミングを報知する起床タイミング報知処理を実行する。このため、制御部８は、図４に示すように、上記制御回路が記憶部７に記憶されたプログラムを実行することでそれぞれ実現される計時部８１、設定部８２、残量判定部８３、判定規制部８４、情報取得部８５、時刻判定部８６、深度取得部８７、変化判定部８８、報知制御部８９、覚醒判定部９０、覚醒後規制部９１、基底脈拍取得部９２及び更新部９３を、機能部として有する。
これらのうち、計時部８１は、現在時刻を計時する。
【００４０】
設定部８２は、報知開始時刻、報知期間及び最終起床時刻を設定する。これらのうち、報知期間は、起床タイミングを報知してよい期間であり、報知開始時刻及び最終起床時刻は、当該報知期間の開始時刻及び終了時刻である。また、最終起床時刻は、使用者が起床を希望する時刻の限度時刻である。
具体的に、設定部８２は、使用者により入力された最終起床時刻を取得して、記憶部７に記憶（設定）する。また、設定部８２は、使用者による入力操作に基づいて、最終起床時刻に至るまでに起床タイミングを報知してよい期間である報知期間（時間）を設定する。これにより、報知期間の開始時刻である報知開始時刻が設定される。すなわち、本実施形態では、報知開始時刻から最終起床時刻を含む報知期間の間に、起床タイミングが報知される。
【００４１】
なお、予め報知期間が設定されている場合には、最終起床時刻が使用者によって入力されると、設定部８２が報知開始時刻を算出して設定してもよい。また、最終起床時刻及び報知期間を使用者が入力するのではなく、最終起床時刻及び報知開始時刻を使用者が入力し、設定部８２が、これらに基づいて報知期間を設定してもよい。更には、上記のように予め報知期間が設定されている場合には、報知開始時刻を使用者が入力し、設定部８２が、当該報知開始時刻に基づいて最終起床時刻を設定してもよい。
【００４２】
残量判定部８３は、電池ＢＴの電池残量を判定する。例えば、残量判定部８３は、電池ＢＴの出力電圧を取得して、当該出力電圧が所定値以上である場合には電池残量が多いと判定し、当該出力電圧が所定値未満である場合には電池残量が少ないと判定する。
判定規制部８４は、残量判定部８３により、電池ＢＴの電池残量が少ないと判定されると、後述する変化判定部８８により睡眠深度の判定処理が実行されることを規制する。これにより、電池残量の更なる低下が抑制され、当該電池残量が温存される。
なお、残量判定部８３による残量判定処理は常時行われており、電池残量が少ないと判定されると、判定規制部８４による規制処理が割込みで発生する。このため、現在時刻が上記報知期間に入っている場合でも、電池残量が所定値未満となると、変化判定部８８による判定処理が規制されるので、報知制御部８９は、現在時刻が最終起床時刻に達したと判定された場合に、報知部３に起床タイミングを報知させる。
【００４３】
情報取得部８５は、検出部５により検出された生体情報及び動作情報を取得する。また、情報取得部８５は、取得した生体情報及び動作情報を記憶部７に記憶させる。すなわち、情報取得部８５は、本発明の脈拍数取得部に相当する。
時刻判定部８６は、計時部８１により計時されている現在時刻が、上記設定部８２により設定された報知開始時刻になったか否か（報知期間に入ったか否か）、及び、最終起床時刻になったか否かを判定する。
【００４４】
図５は、睡眠時の脈拍数変化の一例を示す図である。
深度取得部８７は、情報取得部８５により取得される生体情報及び動作情報、並びに、記憶部７に記憶された基底脈拍に基づいて、使用者の睡眠深度を取得する。
例えば、深度取得部８７は、取得される脈拍数が、例えばレム睡眠とノンレム睡眠とを区別する基準値より低いと判定すると、ノンレム睡眠に相当する睡眠深度を現在の睡眠深度として取得する。以下、当該睡眠深度を第３睡眠深度とする。なお、この基準値（図５における点線で示す脈拍数）は、本実施形態では、人間の生活の中で最も低い脈拍数である基底脈拍（図５における一点鎖線で示す脈拍であり、基礎脈拍）の１．２５倍に設定されている。しかしながら、このような基準値は、適宜変更可能である。
【００４５】
また、深度取得部８７は、取得される脈拍数が上記基準値以上であるものの、取得される加速度の変化が小さいと判定すると、レム睡眠に相当する睡眠深度を現在の睡眠深度として取得する。以下、当該睡眠深度を第２睡眠深度とする。
更に、深度取得部８７は、取得される脈拍数が上記基準値以上であり、かつ、取得される加速度の変化が大きいと判定すると、レム睡眠より覚醒状態に近い睡眠深度を現在の睡眠深度として取得する。この睡眠深度の状態は、例えば、寝返りを打っているような状態である。以下、当該睡眠深度を第１睡眠深度とする。
【００４６】
変化判定部８８は、時刻判定部８６によって現在時刻が報知開始時刻に達したと判定された後に機能する。この変化判定部８８は、深度取得部８７により取得される睡眠深度に変化があったか否かを判定する。
詳述すると、変化判定部８８は、取得されている睡眠深度に、当該睡眠深度が浅くなる変化が生じたか否かを判定する。例えば、変化判定部８８は、第３睡眠深度から第２睡眠深度に変化した場合、及び、第２睡眠深度から第１睡眠深度に変化した場合には、睡眠深度が浅くなる変化が生じたと判定する。一方、変化判定部８８は、睡眠深度に変化がない場合や、睡眠深度が深くなる変化が生じた場合には、浅くなる変化は生じていないと判定する。なお、変化判定部８８は、現在時刻が報知開始時刻に達し、これにより、報知期間に入った場合には、上記浅くなる変化が生じたと判定するまで、判定処理を繰り返す。しかしながら、判定規制部８４による規制が実施されている場合には、変化判定部８８は、判定処理を実行しない。
【００４７】
報知制御部８９は、変化判定部８８により睡眠深度が浅くなる変化が生じたと判定された場合、及び、時刻判定部８６により現在時刻が最終起床時刻に達したと判定された場合に、報知部３により、起床タイミングを使用者に報知する。具体的に、報知制御部８９は、表示部３１に起床タイミングである旨を表示させ、振動部３２を駆動させて振動を発生させ、音声出力部３３に所定の音声を出力させる。
【００４８】
この際、報知制御部８９は、睡眠深度が浅くなる変化が生じたと判定された場合と、最終起床時刻に達したと判定された場合とで、報知の仕方を変更する。本実施形態では、報知制御部８９は、報知の強度及び報知間隔を変更する。
具体的に、報知制御部８９は、最終起床時刻に達したと判定された場合には、睡眠深度が浅くなる変化が生じたと判定された場合より、報知の強度を強め、報知間隔を短くする。例えば、最終起床時刻に達したと判定された場合には、報知制御部８９は、発生する振動が比較的強く、かつ、振動の周期が比較的短くなるように、振動部３２を駆動させる。また、報知制御部８９は、出力されるアラーム音の音量が比較的大きく、かつ、当該アラーム音の周期が比較的短くなるように、音声出力部３３を動作させる。これは、最終起床時刻には、使用者を必ず目覚めさせる必要があるための措置である。
一方、睡眠深度が浅くなる変化が生じたと判定された場合には、報知制御部８９は、発生する振動が比較的弱く、かつ、振動の周期が比較的長くなるとうに、振動部３２を駆動させる。また、報知制御部８９は、出力されるアラーム音の音量が比較的小さく、かつ、当該アラーム音の周期が比較的長くなるように、音声出力部３３を動作させる。これは、当該変化が生じた場合には、使用者が比較的目覚めやすい睡眠状態であることから、心地よい目覚めを促すための措置である。
【００４９】
更に、報知制御部８９は、現在の睡眠深度に応じて報知の仕方を変更する。具体的に、現在の睡眠深度が浅い場合には、上記報知の強度を低くするとともに、報知間隔を長くし、逆に睡眠深度が深い場合には、上記報知の強度を高くするとともに、報知間隔を短くする。例えば、現在の睡眠深度が最も浅い第１睡眠深度である場合には、最も深い睡眠深度である第３睡眠深度である場合に比べて、発生する振動が弱く、当該振動の周期が長くなるように、振動部３２を駆動させるとともに、出力されるアラーム音の音量が小さく、当該アラーム音の周期が長くなるように、音声出力部３３を動作させる。
このため、睡眠深度が第１睡眠深度であり、かつ、上記浅くなる変化が生じたと判定された場合に実施される報知の強度が最も低く、睡眠深度が第３睡眠深度であり、かつ、最終起床時刻に達したと判定された場合に実施される報知の強度が最も高い。
このように報知制御部８９が、報知部３に起床タイミングを報知させることにより、心地よい目覚めを促すことができる他、最終起床時刻に使用者を確実に目覚めさせることができる。
【００５０】
覚醒判定部９０は、取得される生体情報及び動作情報に基づいて、使用者が覚醒したか否か、すなわち、目覚めたか否かを判定する。
覚醒後規制部９１は、覚醒判定部９０により使用者が目覚めたと判定されると、報知部３による報知を規制し、これにより、当該報知が終了される。
基底脈拍取得部９２は、過去に取得された脈拍数（１分間の脈拍数）のうち、最も低い脈拍数（例えば、睡眠時における最も低い脈拍数）を上記基底脈拍として取得する。
更新部９３は、基底脈拍取得部９２により取得された基底脈拍で、記憶部７に記憶（保持）されている基底脈拍を更新する。これにより、使用者に合わせた基底脈拍を設定でき、上記深度取得部８７による現在の睡眠深度の取得を使用者に合わせて実施できる。
【００５１】
［起床タイミング報知処理］
図６は、起床タイミング報知処理を示すフローチャートである。
測定装置１は、上記のように、記憶部７に記憶された起床タイミング報知プログラムを制御部８の制御回路が実行することで、以下に示す起床タイミング報知処理を実行する。なお、上記残量判定部８３による判定処理は、当該起床タイミング報知処理とは別の処理として常時実行される他、基底脈拍取得部９２による基底脈拍の取得処理も、別のタイミングで実行される。
起床タイミング報知処理では、図６に示すように、まず、時刻判定部８６が、現在時刻が上記報知開始時刻に達したか否かを判定する（ステップＳ１）。
ここで、報知開始時刻に達していないと判定されると、時刻判定部８６は、当該ステップＳ０１の判定処理を繰り返し実行する。
【００５２】
一方、報知開始時刻に達したと判定されると、深度取得部８７が、現在の睡眠深度を取得する（ステップＳ２）。なお、上記のように、検出部５による生体情報及び動作情報の検出は常に実行されており、これら各情報は、情報取得部８５により取得されて、記憶部７に記憶されている。
そして、変化判定部８８が、上記浅くなる変化が生じたか否かを判定する（ステップＳ３）。
このステップＳ３の判定処理にて、浅くなる変化が生じたと判定されると、報知制御部８９が、報知部３により、上記のように起床タイミングを報知する（ステップＳ４）。この状態での報知部３による報知の強度は、最終起床時刻での報知の強度より低い。
このステップＳ４の後、制御部８は、処理をステップＳ７に移行する。
【００５３】
一方、ステップＳ３の判定処理にて、浅くなる変化が生じていないと判定されると、時刻判定部８６が、現在時刻が最終起床時刻に達したか否かを判定する（ステップＳ５）。なお、当該ステップＳ５の判定処理にて、最終起床時刻に達していないと判定されると、制御部８は、処理をステップＳ３に戻す。
【００５４】
ステップＳ５の判定処理にて、最終起床時刻に達したと判定されると、報知制御部８９が、報知部３により、上記のように起床タイミングを報知する（ステップＳ６）。なお、この状態での報知部３による報知の強度は、上記変化が生じたと判定された場合の報知の強度、すなわち、ステップＳ４での報知の強度より高い。
このステップＳ６が実行されることで、体調等の理由によって睡眠中に上記変化が発生せずに、第３睡眠深度より浅い第１睡眠深度及び第２睡眠深度（上記基準値を超える睡眠深度）が継続する睡眠状態である場合には、最終起床時刻に起床タイミングが報知されることとなる。なお、上記変化が発生せずに、最も深い第３睡眠深度が継続する睡眠状態である場合にも、最終起床時刻に起床タイミングが報知されることとなる。しかしながら、人間の睡眠の性質上、長時間（例えば、およそ９０分から１２０分の間と言われる睡眠の一周期の間）第１及び第３睡眠深度が継続する睡眠状態とはならない。一方で、体調等の問題により、比較的浅い第２睡眠深度の睡眠状態が継続することはある。このため、上記変化が生じない場合、すなわち、眠りが浅い第２睡眠深度が継続する場合には、最終起床時刻に起床タイミングが報知されることとなる。
このステップＳ６の後、制御部８は、処理をステップＳ７に移行する。
【００５５】
ステップＳ７では、覚醒判定部９０が、使用者が覚醒したか否かを判定し（ステップＳ７）、当該使用者が覚醒したと判定されるまで判定処理を繰り返し実行する。このため、使用者が覚醒したと判定されるまでは、報知部３による報知は、継続して実施される。
一方、当該ステップＳ７の判定処理にて、使用者が覚醒したと判定されると、覚醒後規制部９１により、報知部３の報知が規制され、ひいては、当該報知が終了される（ステップＳ８）。
これにより、起床タイミング報知処理が終了される。
【００５６】
［実施形態の効果］
以上説明した本実施形態に係る生体情報測定装置１によれば、以下の効果がある。
報知開始時刻となった後、睡眠深度が浅い状態で当該睡眠深度が深くなる変化が生じた場合に、起床タイミングを報知して使用者を覚醒させると、使用者の寝覚めが悪い可能性がある他、睡眠時間も短くなる。
これに対し、報知開始時刻から最終起床時刻までの報知期間に現在時刻が入った場合（すなわち、報知開始時刻を過ぎた場合）に、睡眠深度が浅くなる変化が生じると、報知部３によって起床タイミングが報知される。これによれば、通常時とは異なる周期の睡眠であっても、目覚めやすい状態の使用者に起床タイミングを報知できる。このため、最終起床時刻前の目覚めやすいタイミングで、使用者を覚醒させることができる。従って、使用者の目覚めをよくすることができる。
【００５７】
報知期間に入った際の睡眠深度が第３睡眠深度より浅い第１及び第２睡眠深度であり、かつ、上記浅くなる変化が生じていないと判定されている間は、報知部３による報知が実施されず、最終起床時刻となった場合に、報知制御部８９が、報知部３に報知を実施させる。これによれば、体調等により浅い眠りが継続する使用者の睡眠時間をできるだけ長くすることができる。従って、使用者の目覚めをよくすることができるとともに、睡眠時間を確保できる。
【００５８】
覚醒判定部９０により使用者が覚醒したと判定された場合には、覚醒後規制部９１により、報知部３による報知が規制される。これによれば、使用者が報知を停止させる入力操作を実施しなくても、使用者の覚醒後に報知部３による報知が継続することを抑制できる。従って、報知装置でもある測定装置１の利便性を向上できる他、当該測定装置１の消費電力を低減できる。特に、測定装置１は、人体に装着されるウェアラブル機器として構成され、電池ＢＴから供給される電力により駆動されるので、上記構成を有することにより、測定装置１の駆動時間を長くすることができる。
【００５９】
ここで、睡眠深度が深い場合には、報知部３による報知を行った場合でも目覚めにくいことが考えられる。これに対し、報知制御部８９は、睡眠深度に応じて報知部３による報知の仕方を変更する。これによれば、睡眠深度が深い場合には、当該報知の強度が高くなることで、対象者を目覚めやすくすることができる。従って、対象者を確実に目覚めさせることができる。
【００６０】
報知制御部８９は、上記変化が生じたと判定された場合、及び、最終起床時刻に達したと判定された場合のそれぞれで、報知部３による報知の仕方を変更する。これによれば、例えば、上記変化が生じたと判定されたタイミングでは、使用者が比較的目覚めやすい状態にあるので、報知の強度を低くして自然な目覚めを促すことで、目覚めをよくすることができる。一方、最終起床時刻に達したと判定された場合には、使用者を確実に目覚めさせる必要があるので、当該報知の強度を高くすることで、対象者を目覚めやすくすることができる。従って、対象者を確実に目覚めさせることができる。
【００６１】
残量判定部８３により、電池残量が所定量未満であると判定されると、上記変化判定部８８による判定処理が規制されて、電池残量が温存される。そして、最終起床時刻に達すると報知部３による上記報知が実行されるので、電池切れが生じることなく、最終起床時刻に使用者を確実に目覚めさせることができる。従って、測定装置１の利便性を向上できる。
【００６２】
更新部９３により、使用者の睡眠時における最も低い脈拍数に基底脈拍が更新されるので、睡眠深度を取得する際に用いられる基底脈拍を使用者に合わせることができ、これにより、睡眠深度を適切に取得できる。従って、使用者の睡眠深度の判定を適切に実施できる。
【００６３】
［実施形態の変形］
本発明は、上記実施形態に限定されるものではなく、本発明の目的を達成できる範囲での変形、改良等は本発明に含まれるものである。
上記実施形態では、深度取得部８７は、生体情報検出部５１により検出されて生体情報として取得される脈拍数と、動作情報検出部５２により検出される動作情報としての加速度値とに基づいて、睡眠深度を取得した。しかしながら、本発明はこれに限らない。例えば、深度取得部８７は、生体情報に基づいて睡眠深度を取得できれば、動作情報は参照しなくてもよい。この場合には、動作情報検出部５２を省略できる。また、深度取得部８７は、当該生体情報としての脈拍数に基づいて睡眠深度を取得する構成に限らず、心電図及び脳波等の他の生体情報に基づいて睡眠深度を取得する構成としてもよい。なお、上記加速度等の動作情報に基づいて睡眠深度を取得できれば、生体情報を検出及び取得しなくてもよい。
【００６４】
上記実施形態では、睡眠状態を第１〜第３睡眠深度の３段階に区分した。しかしながら、本発明はこれに限らない。例えば、第１睡眠深度を区分せず、第２睡眠深度と第３睡眠深度とに分類してもよい。また、このような３段階の睡眠深度ではなく、４段階以上の睡眠深度に睡眠状態を区分してもよい。このような場合でも、比較的睡眠深度が浅く目覚めやすいと判断される睡眠深度が継続する睡眠であれば、最終起床時刻に起床タイミングを報知する構成とすれば、体調等により睡眠が浅い対象者（使用者）の睡眠時間を確保できる。
【００６５】
上記実施形態では、報知部３は、表示部３１、振動部３２及び音声出力部３３を有し、これらにより起床タイミングを報知するとした。しかしながら、本発明はこれに限らない。すなわち、当該起床タイミングを報知する手段として、振動部３２及び音声出力部３３の一方のみを有する構成としてもよい。また、報知部が人体に装着される構成でない場合には、例えば、寝室等の照明を点灯させる等して対象者に光を照射することで、起床タイミングを報知する構成としてもよい。
【００６６】
上記実施形態では、計時部８１が現在時刻を計時するとした。しかしながら、本発明はこれに限らない。すなわち、標準電波やＧＰＳ（Global Positioning System）電波等の現在時刻を含む電波を受信可能に構成され、当該電波に基づいて現在時刻を取得できる構成や、外部から現在時刻を示す信号を取得可能な構成であれば、現在時刻を計時する構成はなくてもよい。
【００６７】
上記実施形態では、現在時刻が上記報知期間に入り、睡眠深度が浅くなる変化が生じた場合に、起床タイミングを報知するとした。しかしながら、睡眠深度が比較的浅い場合（例えば、上記第１及び第２睡眠深度のいずれかである場合）には、睡眠深度が浅くなる変化だけでなく、深くなる変化が生じた場合でも、起床タイミングを報知する構成としてもよい。
【００６８】
上記実施形態では、覚醒判定部９０により、対象者（使用者）が覚醒したと判定されると、報知部３による報知が規制され、これにより、当該報知が終了されるとした。しかしながら、本発明はこれに限らない。すなわち、使用者により報知を終了させる入力操作が実施されるまで、当該報知を継続する構成としてもよい。
一方、ステップＳ４での報知（強度が低い報知）が所定時間実施された後、ステップＳ７にて覚醒判定部９０により使用者は覚醒していないと判定されると、処理をステップＳ５に移行し、最終起床時刻になったタイミングで、報知部３により再度報知する構成としてもよい。
【００６９】
上記実施形態では、報知制御部８９は、上記変化が生じたと判定された場合と、最終起床時刻に達した場合とで、報知部３による報知の仕方を変更するとした。そして、報知の仕方の変更は、上記報知の強度を変更することにより実施するとした。しかしながら、本発明はこれに限らない。例えば、振動部３２による報知では、それぞれの場合で振動のリズムを変更してもよく、音声出力部３３による報知では、それぞれの場合で出力される音声を変更してもよい。すなわち、それぞれの場合で、報知の仕方が変更されれば、使用者は、現在時刻を確認せずとも、どのタイミングで報知されたのかを把握できる。一方、それぞれの場合で、報知の仕方が同じであってもよい。
【００７０】
上記実施形態では、報知制御部８９は、報知部３による報知のタイミングにおける睡眠深度に応じて、当該報知の仕方を変更するとした。そして、上記と同様に、報知の仕方の変更は、上記報知の強度を変更することにより実施するとした。しかしながら、本発明はこれに限らない。例えば、睡眠深度に応じて、段階的に強くしたり、弱くしたりしてもよい。また、睡眠深度に応じて報知の強度を変更せずに、それぞれで同じでもよい。
【００７１】
上記実施形態では、残量判定部８３により電池残量が所定量未満であると判定されると、変化判定部８８による判定処理は規制され、報知制御部８９により、最終起床時刻に起床タイミングが報知されるとした。しかしながら、本発明はこれに限らない。すなわち、このような機能はなくてもよい。一方、電池残量が所定値未満であると判定されると、上記変化判定部８８による判定処理の頻度を下げることで、消費電力を低減させてもよく、変化判定部８８による判定処理の規制だけでなく検出部５による生体情報及び動作情報の検出も規制してもよい。また、生体情報及び動作情報の一方に基づいて睡眠深度を取得可能であれば、生体情報検出部５１及び動作情報検出部５２の一方を停止させる構成としてもよい。
【００７２】
上記実施形態では、更新部９３は、基底脈拍取得部９２により取得された基底脈拍で、記憶部７に記憶された基底脈拍を更新するとした。しかしながら、本発明はこれに限らない。すなわち、基底脈拍は、予め設定された値から更新されなくてもよい。
また、第２睡眠深度と第３睡眠深度とに分類する上記基準値は、基底脈拍の１．２５倍であるとした。しかしながら、本発明はこれに限らない。すなわち、上記基準値は、適宜変更可能である。
【００７３】
上記実施形態では、測定装置１は、使用者の手首に装着されるウェアラブル機器として構成した。しかしながら、本発明はこれに限らない。すなわち、当該測定装置１の装着部位は、胸部や足首であってもよい。また、測定装置１は、体動等により使用者の睡眠深度を取得可能であれば、人体に装着されなくてもよく、生体情報を検出しなくてもよい。
【産業上の利用可能性】
【００７４】
本発明は、起床タイミングを報知する報知装置に適用でき、生体情報を検出する生体情報測定装置に好適に適用できる。
【符号の説明】
【００７５】
１…生体情報測定装置（報知装置）、３…報知部、５１…生体情報検出部、８３…残量判定部、８４…判定規制部、８５…情報取得部（脈拍数取得部）、８７…深度取得部、８８…変化判定部、８９…報知制御部、９０…覚醒判定部、９１…覚醒後規制部、９２…基底脈拍取得部、９３…更新部、ＢＴ…電池。
【図１】
2015161542.tif 000003
【図２】
2015161542.tif 000004
【図３】
2015161542.tif 000005
【図４】
2015161542.tif 000006
【図５】
2015161542.tif 000007
【図６】
2015161542.tif 000008